(57)【要約】コンタクタ(1)は、電気回路の第１導体(5)に固定及び接続した第１接点部材(3)と、電気回路の第２導体(9)に対しコネクタ(11)によって接続される第２接点部材(7)であって、前記第１及び第２の接点部材が接触しない開路位置と前記第１及び第２の接点部材が接触する閉成位置との間で移動する、該第２接点部材(7)と、前記第２接点部材に連結されるアクチュエータ組立体(15)であって、アクチュエータ組立体の作動が前記第２接点部材の移動に転換させる、該アクチュエータ組立体(15)と、電磁コイル(17)及び前記アクチュエータ組立体の少なくとも一部分を含む電磁装置であって、前記コイルが付勢されるとき、前記コイルが磁場を発生し、またこれにより前記アクチュエータ組立体が前記磁場の影響の下で移動させられ、この移動により前記第２接点部材を移動させる、該電磁装置と、前記第１及び第２の接点部材、前記コネクタ、及び前記アクチュエータ組立体を内部に収納する密封可能なエンクロージャ(2) とを備え、前記コイルが前記エンクロージャの外部に存在する。【選択図】図１
2021533545.tif 000002
【特許請求の範囲】
【請求項１】
コンタクタであって、
電気回路の第１導体に固定及び接続される第１接点部材と、
前記電気回路の第２導体にコネクタによって接続される第２接点部材であって、前記第１及び第２の接点部材が互いの接触から外れる開路位置と前記第１及び第２の接点部材が互いに接触する閉成位置との間で前記第２接点部材が移動する、該第２接点部材と、
前記第２接点部材に連結されるアクチュエータ組立体であって、前記アクチュエータ組立体の作動が前記第２接点部材の移動に転換させる、該アクチュエータ組立体と、
電磁コイル及び前記前記アクチュエータ組立体の少なくとも一部分を含む電磁装置であって、前記コイルが付勢されるとき、前記コイルが磁場を発生し、またこれにより前記アクチュエータ組立体が前記磁場の影響の下で移動させられ、この移動により前記第２接点部材を移動させる、該電磁装置と、及び
前記第１及び第２の接点部材、前記コネクタ、及び前記アクチュエータ組立体を内部に収納する密封可能なエンクロージャと、
を備え、また
前記コイルは前記エンクロージャの外部に存在する、コンタクタ。
【請求項２】
請求項１記載のコンタクタにおいて、前記アクチュエータ組立体は、前記電磁コイルによって非接触で作動する、コンタクタ。
【請求項３】
請求項１又は２記載のコンタクタにおいて、前記コネクタは、変形可能な導体である、コンタクタ。
【請求項４】
請求項３記載のコンタクタにおいて、前記コネクタは、前記第２接点部材が前記エンクロージャ内で移動する際に変形するよう構成される、コンタクタ。
【請求項５】
請求項３又は４記載のコンタクタにおいて、前記コネクタは可撓性である、コンタクタ。
【請求項６】
請求項５記載のコンタクタにおいて、前記コネクタは、可撓性束状構造、可撓性編組、又はばねのうち任意な１つである、コンタクタ。
【請求項７】
請求項３〜６のうちいずれか１項記載のコンタクタにおいて、前記コネクタは、導電性ラミネーションによって形成する、コンタクタ。
【請求項８】
請求項３〜７のうちいずれか１項記載のコンタクタにおいて、前記コネクタは、可逆的に変形可能である、コンタクタ。
【請求項９】
請求項１〜８のうちいずれか１項記載のコンタクタにおいて、前記第２接点部材は、単一点接触コンタクタである、コンタクタ。
【請求項１０】
請求項１〜９のうちいずれか１項記載のコンタクタにおいて、前記エンクロージャは単一チャンバを画定し、また前記第１及び第２接点部材、前記コネクタ、及び前記アクチュエータ組立体は、前記単一チャンバ内に包囲される、コンタクタ。
【請求項１１】
請求項１０記載のコンタクタにおいて、前記第１及び第２接点部材、前記コネクタ、及び前記アクチュエータ組立体は、前記単一チャンバ内に完全に閉じ込められる、コンタクタ。
【請求項１２】
請求項１〜１１のうちいずれか１項記載のコンタクタにおいて、前記エンクロージャは互いに反対側の第１端部及び第２端部を有し、前記第１導体及び前記第１接点部材は前記エンクロージャの前記第１端部に位置付けられ、また前記第２導体及び前記コネクタの少なくとも一部分は前記エンクロージャの前記第２端部に位置付けられ、コンタクタ。
【請求項１３】
請求項１２記載のコンタクタにおいて、前記第２接点部材は、前記第１端部と前記第２端部との間に延在する前記エンクロージャの長手方向軸線に沿って移動可能である、コンタクタ。
【請求項１４】
請求項１〜１３のうちいずれか１項記載のコンタクタにおいて、前記第２接点部材は、前記第１接点部材の近位側における第１端部と、前記第１接点部材の遠位側における第２端部を有し、また前記コネクタは、前記第２接点部材の前記第１端部から離間する場所で前記第２接点部材に取り付けられる、コンタクタ。
【請求項１５】
請求項１〜１４のうちいずれか１項記載のコンタクタにおいて、前記コンタクタは、信号回路を有する補助接点機構を備え、前記補助接点機構は、アクチュエータ組立体によって作動し、この作動の際に前記電気回路の状態を示す外部信号を作動させるよう構成される、コンタクタ。
【請求項１６】
請求項１５記載のコンタクタにおいて、前記補助接点機構は、
前記エンクロージャ内に位置付けられ、かつ前記アクチュエータ組立体に接続され、前記アクチュエータ組立体の移動の際に移動可能な補助接点部材と、及び
補助電極と
を有し、
前記アクチュエータ組立体の前記エンクロージャ内での移動は、前記補助接点部材及び前記補助電極が互いの接触から外れ、前記信号回路に何らの電流を発生しない離脱位置と、前記補助接点部材及び前記補助電極が互いに接触して、前記信号回路に電流を発生する係合位置との間で前記補助接点部材を移動させ、前記補助接点機構は、前記信号回路における電流の有無に基づいて、前記電気回路の状態を示す外部信号を作動させるよう構成された信号発生コンポーネントを有する、コンタクタ。
【請求項１７】
請求項１〜１６のうちいずれか１項記載のコンタクタにおいて、前記アクチュエータ組立体は、前記エンクロージャ内において移動可能であり、また磁性素子を有するピストンを備え、前記ピストンは前記第２接点部材に連結し、また前記磁性素子は前記コイルと磁気連通する、コンタクタ。
【請求項１８】
請求項１７記載のコンタクタにおいて、前記ピストンは、前記エンクロージャの長手方向軸線に沿って前記エンクロージャ内で移動可能である、コンタクタ。
【請求項１９】
請求項１〜１８のうちいずれか１項記載のコンタクタにおいて、前記第１接点部材は、前記第１及び第２の接点部材が接触状態にあるとき、発生した熱を放散できるヒートシンクをなすよう構成される、コンタクタ。
【請求項２０】
請求項１〜１９のうちいずれか１項記載のコンタクタにおいて、前記ヒートシンクは、前記第1接点部材の導電性延長部によって設けられ、前記導電性延長部は、前記エンクロージャ内で前記第１接点部材及び前記第２接点部材から離れる方向に延在する、コンタクタ。
【請求項２１】
請求項２０記載のコンタクタにおいて、前記導電性延長部は、前記エンクロージャの少なくとも一部分を内張りする、コンタクタ。
【請求項２２】
請求項２１記載のコンタクタにおいて、前記導電性延長部は、前記エンクロージャの内壁の少なくとも一部分に補完し合う形状を有する、コンタクタ。
【請求項２３】
請求項１９記載のコンタクタにおいて、前記ヒートシンクは、前記第１及び第２の接点部材が接触状態にあるとき、前記第２接点部材から離れる方向に熱を伝導するよう前記第１接点部材を前記第２接点部材よりも大きく作成することによって設ける、コンタクタ。
【請求項２４】
請求項１〜２３のうちいずれか１項記載のコンタクタにおいて、前記エンクロージャは、前記第１導体に直接連結する、コンタクタ。
【請求項２５】
請求項１〜２４のうちいずれか１項記載のコンタクタにおいて、前記エンクロージャ内に規定及び制御された環境を与える、コンタクタ。
【請求項２６】
請求項２５記載のコンタクタにおいて、前記エンクロージャは、真空状態の下、又は少なくとも１種類のガスで充填した状態の下にある、コンタクタ。
【請求項２７】
請求項１〜２６のうちいずれか１項記載のコンタクタにおいて、前記エンクロージャは、熱的及び電気的な伝導材料から形成する、コンタクタ。
【請求項２８】
請求項１〜２７のうちいずれか１項記載のコンタクタにおいて、前記エンクロージャは管状である、コンタクタ。
【発明の詳細な説明】
【技術分野】
【０００１】
本発明は、電気回路を閉成及び開路する電磁コンタクタに関する。
【背景技術】
【０００２】
電磁コンタクタは、限定しないが、電気回路を閉成及び開路するため限定しないが、電気自動車を含む多様な用途に使用される。例えば、特許文献１（国際公開第２００８／０３３３４９号）又は特許文献２（韓国特許公開第２０１６−００３１８９７号）に記載されたような代表的電磁コンタクタは、接触位置と遮断位置との間で移動可能なアクチュエータ、及び１対の固定電極を密封的に収容するケーシングを有する。一般的に、電極はケーシング内で互いに隣接するよう位置決めされ、アクチュエータは、接触位置で２つの固定電極を接続させて回路を閉成するクロスバーを有する。ばねは通常アクチュエータを開路位置に維持する。コンタクタは電磁コイルを収容し、コイルが付勢されるとき、アクチュエータをばねに打ち勝たせて変形させ、接触位置に移動させる。アクチュエータは、コイルが付勢状態に留まる限り接触位置に留まる。場合によって、磁気ラッチ機構を設け、アクチュエータが接触位置に留まるのを補助し、コイルが消費するエネルギーを減少する。回路を開路させるため、コイルを滅勢し、これによりばねを釈放してアクチュエータを遮断位置に移動させる。このような構成での問題は、電極が例えば、経時的摩耗により又は応力に起因した誤整列を生じて、クロスバーが適正に電極に接触するのを阻止し、またさらに、電弧発生を生ぜしめることである。さらにまた、２つの電極に対する接触位置へのクロスバー強制は、応力を生ぜしめ、またケーシング内における密封シールを損なうおそれがある。特許文献３（米国特許第２,２７８,９７１号）は、ケーシングの同一側に位置付けられた固定電極を接続するため、クロスバーの代わりに軸線方向に移動可能なロッドをアクチュエータが有する他の構成を開示している。この軸線方向に移動可能なロッドは、第１電極に対して接触状態になる及び接触から外れるよう移動可能であり、また第２電極に対しては導電性ばね及び固定ブラケット状導体によって恒久的に接続されている。電気経路は、ロッドが軸線方向に移動して第１電極に接触するとき、２つの電極間に確立される。これは、可動ロッドがケーシングの外部に突出するという事実と結びついて、このような構成を面倒で複雑なものにする。
【先行技術文献】
【特許文献】
【０００３】
【特許文献１】国際公開第２００８／０３３３４９号パンフレット
【特許文献２】韓国特許公開第２０１６−００３１８９７号明細書
【特許文献３】米国特許第２,２７８,９７１号明細書
【発明の概要】
【発明が解決しようとする課題】
【０００４】
上述した観点から、本発明の目的は、上述した欠点を軽減及び緩和することにあり、またさらに、部品点数、製品重量及び全体的な包絡体積を減少させることにある。
【課題を解決するための手段】
【０００５】
したがって、本発明は、コンタクタであって、電気回路の第１導体に固定及び接続される第１接点部材と、前記電気回路の第２導体にコネクタによって接続される第２接点部材であって、前記第１及び第２の接点部材が互いの接触から外れる開路位置と前記第１及び第２の接点部材が互いに接触する閉成位置との間で前記第２接点部材が移動する、該第２接点部材と、前記第２接点部材に連結されるアクチュエータ組立体であって、前記アクチュエータ組立体の作動が前記第２接点部材の移動に転換させる、該アクチュエータ組立体と、電磁コイル及び前記前記アクチュエータ組立体の少なくとも一部分を含む電磁装置であって、前記コイルが付勢されるとき、前記コイルが磁場を発生し、またこれにより前記アクチュエータ組立体が前記磁場の影響の下で移動させられ、この移動により前記第２接点部材を移動させる、該電磁装置と、及び前記第１及び第２の接点部材、前記コネクタ、及び前記アクチュエータ組立体を内部に収納する密封可能なエンクロージャと、を備えるコンタクタを提供する。
【０００６】
一構成において、前記コイルは前記エンクロージャの外部に存在する。
【０００７】
一構成において、前記アクチュエータ組立体は、前記電磁コイルによって非接触で、すなわち、前記電磁コイルと前記アクチュエータ組立体との間に機械的リンク機構を設ける必要なしに作動する。この実施形態において、コイルが付勢されるとき、コイルは磁場を発生し、またアクチュエータ組立体は単に磁場の影響の下で移動させられる。
【０００８】
好適には、前記コネクタは変形可能な導体とする。好適には、前記コネクタは、前記第２接点部材が前記エンクロージャ内で移動する際に変形するよう構成されるものとする。前記コネクタは、限定しないが、束状構造、編組、ワイヤ、ケーブル又はばねを含む可撓性コネクタとすることができる。前記コネクタは、さらに、導電性ラミネーションによって形成することもできる。前記コネクタは、可逆的に変形可能なものとすることができる。前記コネクタは、弾性変形可能なもの、例えば、ばねとすることができる。
【０００９】
好適には、前記第２接点部材は単一点接触コンタクタとする。
好適には、前記エンクロージャは単一チャンバを画定し、また前記第１及び第２接点部材、前記コネクタ、及び前記アクチュエータ組立体は、前記単一チャンバ内に包囲されるものとする。一実施形態において、前記第１及び第２接点部材、前記コネクタ、及び前記アクチュエータ組立体は、前記単一チャンバ内に完全に閉じ込められ、これにより前記第１及び第２接点部材、前記コネクタ、及び前記アクチュエータ組立体のいかなる部分も前記エンクロージャの外部に突出しない。
【００１０】
好適には、前記エンクロージャは互いに反対側の第１端部及び第２端部を有し、前記第１導体及び前記第１接点部材は前記エンクロージャの前記第１端部に位置付けられ、また前記第２導体及び前記コネクタの少なくとも一部分は前記エンクロージャの前記第２端部に位置付けられるものとする。好適には、前記第２接点部材は、前記第１端部と前記第２端部との間に延在する前記エンクロージャの長手方向軸線に沿って移動可能なものとする。
【００１１】
好適には、前記第２接点部材は、前記第１接点部材の近位側における第１端部と、前記第１接点部材の遠位側における第２端部を有し、また前記コネクタは、前記第２接点部材の前記第１端部から離間する場所で前記第２接点部材に取り付けられる。
【００１２】
前記コンタクタは、信号回路を有する補助接点機構を備え、前記補助接点機構は、アクチュエータ組立体によって作動し、この作動の際に前記電気回路の状態を示す外部信号を作動させるよう構成されるものとすることができる。
【００１３】
一構成において、前記補助接点機構は、
前記エンクロージャ内に位置付けられ、かつ前記アクチュエータ組立体に接続され、前記アクチュエータ組立体の移動の際に移動可能な補助接点部材と、及び
補助電極と
を有し、
前記アクチュエータ組立体の前記エンクロージャ内での移動は、前記補助接点部材及び前記補助電極が互いの接触から外れ、前記信号回路に何らの電流を発生しない離脱位置と、前記補助接点部材及び前記補助電極が互いに接触して、前記信号回路に電流を発生する係合位置との間で前記補助接点部材を移動させ、前記補助接点機構は、前記信号回路における電流の有無に基づいて、前記電気回路の状態を示す外部信号を作動させるよう構成された信号発生コンポーネントを有する。
【００１４】
好適には、前記アクチュエータ組立体は、前記エンクロージャ内において移動可能であり、また磁性素子を有するピストンを備え、前記ピストンは前記第２接点部材に連結し、また前記磁性素子は前記コイルと磁気連通する。前記ピストンは、好適には、前記エンクロージャの長手方向軸線に沿って前記エンクロージャ内で移動可能なものとする。
【００１５】
好適には、前記第１接点部材は、前記第１及び第２の接点部材が接触状態にあるとき、発生した熱を放散できるヒートシンクをなすよう構成されるものとする。一構成において、前記ヒートシンクは、前記第1接点部材の導電性延長部によって設けることができる。前記導電性延長部は、前記エンクロージャ内で前記第１接点部材及び前記第２接点部材から離れる方向に延在するものとすることができる。前記導電性延長部は、前記エンクロージャの少なくとも一部分を内張りすることができる。前記導電性延長部は、前記エンクロージャの内壁の少なくとも一部分に補完し合う形状を有することができる。前記導電性延長部は、前記エンクロージャ内における前記第１及び第２接点部材、前記コネクタ、及び前記アクチュエータ組立体のための付加的内側ケーシングを形成することができる。ケーシング及び第１接点部材のこのような一体化は、個別ケーシング及び接点レイアウトを設ける従来技術では見られない改善された熱放散をもたらす。前記ヒートシンクは、前記第１及び第２の接点部材が接触状態にあるとき、前記第２接点部材から離れる方向に熱を伝導するよう前記第１接点部材を前記第２接点部材よりも大きく作成することによって設けることができる。このヒートシンクは、熱負荷を第１及び第２の接点部材からより効率的な熱放散をもたらす。
【００１６】
好適には、前記エンクロージャは、前記第１導体に直接連結する。
【００１７】
好適には、前記エンクロージャ内に規定及び制御された環境を与える。前記エンクロージャは、真空状態の下、又は少なくとも１種類のガス、例えば、限定しないが、不活性ガス、又はガスの混合気で充填した状態の下にあるものとすることができる。
【００１８】
好適には、前記エンクロージャは、熱的及び電気的な伝導材料、限定しないが、例えば、金属から形成する。
【００１９】
一構成において、前記エンクロージャは管状とすることができるが、本発明は特別なエンクロージャ形状に限定しない。エンクロージャは封止する、好適には、密封シールする。
【発明の効果】
【００２０】
本発明は、回路を閉成及び開路するため単一の移動接点部材のみを必要とする。第１及び第２の接点部材間の接触ポイントは、第２接点部材の移動ライン上に存在するため、接点は、クロスバーを有する従来構成ほど摩耗しない。この結果として、電弧発生は減少する。作動接触面の数が４個から２個に減少するため、部品点数も減少し、また接点部材の材料及び質量も減少する。さらにまた、変形可能な導体を設けることに起因して、エンクロージャ、とくに、封止する界面は、変形可能な導体がないとしたら、作動過程中に伝達されるおそれがある荷重又は応力が加わらない。変形可能な導体は荷重又は応力がエンクロージャに伝達されるのを防止する。この結果として、エンクロージャのシールを損なうリスクが除去又は減少する。本発明の構成は、さらに、コンタクタの動作中の振動に起因するノイズを減少し、またクロスバーを有する従来構成に比べて安定性を向上させるのに役立つ。
【００２１】
作動及び接続双方のための単一チャンバを設けることは、結果として、個別の作動チャンバ及び接続チャンバを有する従来技術の構成よりも少ない部品及び軽い重量を有するコンタクタとなる。部品点数の減少は、コンパクトなコンタクタ設計を促進し、また本発明コンタクタを製造するのに必要な材料の量を減少する。
【００２２】
本発明のコンタクタは電気自動車又は電池蓄電の解決法での使用に好適であるが、本発明はこのような使用に何ら限定するものではない。
【００２３】
総じて、本発明は、インライン接触、減少した部品点数、コンパクトなレイアウト、及び改善された熱放散により、コスト、重量、体積及びエネルギーの減少をもたらす。本発明のより簡単でより堅牢な設計は、回路の破壊点を減少し、かつ信頼性を向上する。
【００２４】
本明細書で使用する用語「導体（conductor）」は、それ以外を明記しない限り、電気的導体であると理解すべきである。
【００２５】
本発明は、以下に単なる例として本発明の実施形態を示す添付図面につき説明する。
【図面の簡単な説明】
【００２６】
【図１】本発明コンタクタの互いに直交する一方の断面平面における概略的断面図である。
【図２】本発明コンタクタの互いに直交する他方の断面平面における概略的断面図である。
【発明を実施するための形態】
【００２７】
図１及び２につき説明すると、本発明は、互いに反対側にある第1端部２ａ及び第２端部２ｂを有する、密封シール可能な管状エンクロージャ２を有するコンタクタ１を提供する。エンクロージャ２は、その内部に生ずる規定及び制御された環境を有する。特別な要件に基づいて、エンクロージャ２は、真空状態の下、又は例えば、限定しないが、不活性ガス若しくは混合ガスのような少なくとも１種類のガスで充填した状態の下にあるようにすることができる。エンクロージャ２は、金属のような、熱的及び電気的な伝導材料から形成する。コンタクタ１は第１接点部材３を有する。第１接点部材３は、電気回路の第１導体５に対して固定及び接続される。第１導体５及び第１接点部材３は、エンクロージャ２の第１端部２ａに位置付けられる。コンタクタ１は、さらに、コネクタ１１によって電気回路の第２導体９に接続される第２接点部材７を有する。第２導体９及びコネクタ１１の少なくとも一部分はエンクロージャ２の第２端部２ｂに位置付ける。第２接点部材７は、第１接点部材３の近位側における第１端部７ａと、第１接点部材３の遠位側における第２端部７ｂとを有し、またコネクタ１１を第２接点部材７の第１端部７ａから離れた位場所で第２接点部材７に取り付ける。
【００２８】
第２接点部材７は、第１及び第２の接点部材３、７が互いの接触から外れる開路位置（図１及び２に示すような）と、第１及び第２の接点部材３、７が互いに接触する閉成位置（図示せず）との間で移動可能である。第１及び第２の接点部材３、７間の接触は、好適には、単一の点接触である。
【００２９】
コンタクタ１は、さらに、アクチュエータ組立体１５を有する。アクチュエータ組立体１５は第２の接点部材７に連結し、この連結は、アクチュエータ組立体１５の作動が、以下により詳細に説明するように、第２の接点部材７の移動に転換するように行う。アクチュエータ組立体１５は、第２接点部材３に連結し、かつエンクロージャ２の長手方向軸線Ｌに沿ってエンクロージャ２内において移動可能なピストン１６を有する。
【００３０】
コンタクタ１は、エンクロージャ２の外側に配置した電磁コイル１７と、ピストン１６に備え付け、かつコイル１７と磁気連通する磁性素子２１とを有する電磁装置を備える。コイル１７が付勢されるとき、コイル１７は磁場を発生し、またこれによりピストン１６が磁場の影響の下で移動させられ、このことは、第２の接点部材７を閉成位置と開路位置との間で移動させる。ばね１８は、通常ピストン１６を第１接点部材３から離れるよう維持し、したがって、第２の接点部材７は開路位置になる。コイル１７が付勢され、ピストン１６が閉成位置に移動させられるとき、ピストン１６はばね１８に打ち勝ってばね１８を変形させる。ピストン１６は第２の接点部材７を閉成位置に移動させ、またコイル１７が付勢状態に留まる限り第２の接点部材７を閉成位置に留まらせる。磁気ラッチスリーブ２０を設け、第２の接点部材７が閉成位置に留まるのを補助し、またコイル１７が消費するエネルギーを減少する。回路を開路させるため、コイル１７を滅勢し、これによりばね１８を釈放し、このばね１８がピストン１６を第１接点部材３から離れるよう移動させ、またひいては第２の接点部材７を開路位置にもたらす。第２の接点部材７の周りにおけるオーバートラベルばね２２は、第１及び第２の接点部材３、７の制御された圧縮をもたらす。セラミックバリア２４を第２接点部材７の周りに設ける。ここに記載した実施形態において、アクチュエータ組立体１５は電磁コイル１７によって非接触で作動し、すなわち、電磁コイル１７とアクチュエータ組立体１５との間に機械的リンク機構を設ける必要がない。コイル１７を付勢するとき、コイル１７は磁場を発生し、またアクチュエータ組立体１５は単に磁場の影響の下で移動させられる。
【００３１】
ここに説明した実施形態において、エンクロージャ２は単一のチャンバ２３を画定し、また第１及び第２の接点部材３、７、コネクタ１１，並びにアクチュエータ組立体１５はチャンバ２３内に完全に閉じ込められ、したがって、第１及び第２の接点部材３、７、コネクタ１１，並びにアクチュエータ組立体１５のいかなる部分も、コンタクタ１の使用中にエンクロージャ２の外側に突出しない。
【００３２】
コネクタ１１は、ここに説明した実施形態において、可逆的に変形可能な導体として設け、この導体はエンクロージャ２内における第２接点部材７の移動の際に変形する。コネクタ１１は、限定しないが、束状構造、編組、ワイヤ、ケーブル又はばねを含む可撓性コネクタとすることができる。コネクタは、さらに、導電性ラミネーションによって形成することもできる。
【００３３】
コンタクタ１は、信号回路（図示せず）を有する補助接点機構２５を備える。この補助接点機構２５は、アクチュエータ組立体１５によって作動し、この作動の際にコンタクタ１の電気回路の状態を示す外部信号を作動させるよう構成される。この補助接点機構２５は、エンクロージャ２内に位置付けられ、かつアクチュエータ組立体１５に接続され、アクチュエータ組立体１５の移動の際に移動可能な補助接点部材２７と、補助電極２９とを有する。アクチュエータ組立体１５のエンクロージャ２内での移動は、補助接点部材２７及び補助電極２９が互いの接触から外れ、信号回路に何らの電流を発生しない離脱位置（図示せず）と、補助接点部材２７及び補助電極２９が互いに接触して、信号回路に電流を発生する係合位置（図１及び２に示すような）との間で補助接点部材２７を移動させる。補助接点機構は、信号回路における電流の有無に基づいて、コンタクタ１の電気回路の状態を示す外部信号を作動させるよう構成された信号発生コンポーネント（図示せず）を有する。このような信号を発生するための多数の選択肢があることは当業者には容易に分かるであろう。
【００３４】
第１接点部材３は、第１及び第２の接点部材３、７が接触状態にあるとき、発生した熱を放散できるヒートシンクをなす。ここに説明した実施形態において、ヒートシンクは、第1接点部材３の導電性延長部３１によって設けられる。この導電性延長部３１は、エンクロージャ２内で第１接点部材３及び第２接点部材７から離れる方向に延在する。この導電性延長部３１は、エンクロージャ２を内張りし、エンクロージャ２の内壁の少なくとも一部分に補完し合う形状を有する。導電性延長部３１は、エンクロージャ２内で、第１及び第２の接点部材３、７、コネクタ１１並びにアクチュエータ組立体１５のための付加的内側ケーシングを形成する。図面には示さないが、ヒートシンクは、第１及び第２の接点部材３、７が接触状態にあるとき、第２接点部材７から離れる方向に熱を伝導するよう第１接点部材３を第２接点部材７よりも相当大きく作成することによっても設けることができる。より大きな第１接点部材３は、さらに、コンタクタ１内における第１及び第２の接点部材３、７の整列を容易にする。
【００３５】
ここに説明した実施形態において、電気絶縁及び密封シールは、導体９、２５に対してガラス-対-金属シール３５を使用してコンタクタ1内の電気的コンポーネント間に設ける。しかし、電気絶縁及び密封シールを設けるための他の適当な解決法も考えられ、これらは当業者には明らかであろう。
【００３６】
第１及び第２の接点部材３、７間での接触を生ずるエンクロージャ２の領域の周りに外部電弧ブローアウト磁石３７を設けることができる。
【００３７】
当業者には、特許請求の範囲で定義される本発明の範囲から逸脱することなく改変及び変更をなし得ることは明らかであろう。
【符号の説明】
【００３８】
２    エンクロージャ
２ａ    第1端部（エンクロージャ）
２ｂ    第２端部（エンクロージャ）
３    第１接点部材
５    第１導体
７    第２接点部材
７ａ    第１端部（第２接点部材）
７ｂ    第２端部（第２接点部材）
９    第２導体
１１    コネクタ
１５    アクチュエータ組立体
１６    ピストン
１７    電磁コイル
１８    ばね
２１    磁性素子
２２    オーバートラベルばね
２３    チャンバ
２４    セラミックバリア
２５    補助接点機構
２９    補助電極
３１    導電性延長部
３５    ガラス-対-金属シール
３７    外部電弧ブローアウト磁石
【図１】
2021533545.tif 000003
【図２】
2021533545.tif 000004
【国際調査報告】
2021533545.tif 000005
2021533545.tif 000006
2021533545.tif 000007
2021533545.tif 000008
2021533545.tif 000009